(57)【要約】【課題】    妨害波除去性能を向上させることができる。【解決手段】  チューナは、選局チャネルに応じて、受信信号の同調用およびイメージ信号除去用の周波数を変化させる入力同調回路２４を含み、これを通過した受信信号を同様に同調し、イメージ信号を減衰させる出力同調回路１２を含み、これを通過した受信信号を入力し、選局チャネルに応じて内部のインピーダンスを変更する可変型整合回路１０を含み、これを通過した受信信号を、周波数変換したＩＦ信号の同調と、ＩＦ帯の隣接上側信号およびＩＦ帯の隣接下側信号の除去とを行なうタンク回路１９を含み、これを通過したＩＦ信号の復調を行なうアナログ復調回路２３を含み、これから入力したベースバンド帯の映像信号に含まれるＩＦ帯の音声信号を除去し、ベースバンド帯の映像信号の帯域以下の信号を通過させるイコライザ回路２７とを含む。【選択図】        図４
2005277919.tif 000002
【特許請求の範囲】
【請求項１】
選局されたチャネルの周波数に応じて、同調する周波数を変化させ、受信信号を同調するとともに、前記選局されたチャネルの周波数に応じて、減衰させる周波数を変化させ、イメージ信号を減衰させる入力同調回路を含み、
前記選局されたチャネルの周波数に応じて、同調する周波数を変化させ、前記入力同調回路を通過した受信信号を同調するとともに、前記選局されたチャネルの周波数に応じて、減衰させる周波数を変化させ、イメージ信号を減衰させる出力同調回路を含み、
前記出力同調回路を通過した受信信号を入力し、前記選局されたチャネルの周波数に応じて内部のインピーダンスを変更する可変型整合回路を含み、
前記可変型整合回路を通過した受信信号を、ＩＦ信号に周波数変換するミキサ回路を含み、
前記ミキサ回路から入力したＩＦ信号の同調と、前記ミキサ回路から入力したＩＦ信号について、前記選局されたチャネルの周波数帯域に対して、周波数軸でみて、上側の隣に位置するチャネルの信号を前記周波数変換することにより生成されたＩＦ帯の隣接上側信号の除去と、前記選局されたチャネルの周波数帯域に対して、周波数軸でみて、下側の隣に位置するチャネルの信号を前記周波数変換することにより生成されたＩＦ帯の隣接下側信号の除去とを行なうＩＦ同調回路を含み、
前記ＩＦ同調回路を通過したＩＦ信号から、ＩＦ帯における映像信号用の所定の帯域成分からなる第１の信号を生成し、ＩＦ帯における音声信号用の所定の帯域成分からなる第２の信号を生成し、前記第１の信号及び前記第２の信号をベースバンド帯へ周波数変換し、復調を行ない、ベースバンド帯の第１の信号およびベースバンド帯の第２の信号を生成し、出力する復調回路を含み、
前記復調回路から入力したベースバンド帯の前記第１の信号に含まれるＩＦ帯の音声信号を除去し、ベースバンド帯の映像信号の帯域以下の信号を選択的に通過させるイコライザ回路とを含むチューナ。
【請求項２】
前記入力同調回路は、第１の可変容量ダイオードと、第２の可変容量ダイオードと、第１のコンデンサと、第２のコンデンサと、第１のコイルと、第２のコイルとを含み、
前記第１の可変容量ダイオードは、カソードに前記第１のコンデンサが接続され、アノードに前記第２の可変容量ダイオードのアノードと前記第１のコイルと前記第２のコイルとが接続され、
前記第２の可変容量ダイオードは、カソードに前記第２のコンデンサが接続され、
前記第１のコンデンサは、前記第１のコイルに接続され、
前記第１の可変容量ダイオードのカソードに制御電圧が入力され、
前記第２の可変容量ダイオードのカソードに制御電圧が入力される、請求項１記載のチューナ。
【請求項３】
前記出力同調回路及び可変型整合回路は、第３の可変容量ダイオードと、第４の可変容量ダイオードと、第３のコンデンサと、第４のコンデンサと、第３のコイルと、第４のコイルとを含み、
前記第３の可変容量ダイオードは、アノードに前記第４の可変容量ダイオードのアノードと前記第３のコイルと前記第４のコンデンサとが接続され、
前記第４の可変容量ダイオードは、カソードに前記第３のコンデンサが接続され、
前記第４のコンデンサは、前記第４のコイルに接続され、
前記第３の可変容量ダイオードのカソードに制御電圧が入力され、
前記第４の可変容量ダイオードのカソードに制御電圧が入力される、請求項１記載のチューナ。
【請求項４】
前記ＩＦ同調回路は、第５のコンデンサと、第６のコンデンサと、第７のコンデンサと、第８のコンデンサと、第５のコイルと、第６のコイルと、第７のコイルと、第８のコイルとを含み、
前記第５のコンデンサの一端と前記第５のコイルの一端とが第１のノードに接続され、
前記第５のコンデンサの他端と前記第５のコイルの他端とが第２のノードに接続され、
前記第１のノードおよび前記第２のノードに前記ミキサ回路を通過したＩＦ信号が入力され、
前記第１のノードに、第６のコンデンサの一端と、第７のコンデンサの一端と、第８のコンデンサの一端と、第６のコイルの一端と、第７のコイルの一端と、第８のコイルの一端とが接続され、
前記第２のノードに、第６のコンデンサの他端と、第７のコンデンサの他端と、第８のコンデンサの他端と、第６のコイルの他端と、第７のコイルの他端と、第８のコイルの他端とが接続される、請求項１記載のチューナ。
【請求項５】
前記イコライザ回路は、トラップと、イコライザと、第９のコンデンサと、第１０のコンデンサと、第１１のコンデンサと、第９のコイルと、第１０のコイルと、第１１のコイルとを含み、
前記トラップおよび前記第９のコイルに前記ベースバンド帯の映像信号が入力され、
前記イコライザは、入力に前記トラップと前記第９のコイルとが接続され、出力に前記第１０のコンデンサと前記第１０のコイルとが接続され、
前記第９のコンデンサは、前記第１０のコンデンサと前記第１１のコンデンサと前記第１０のコイルと前記第１１のコイルとに接続される、請求項１記載のチューナ。
【請求項６】
前記ＩＦ同調回路は、
前記ミキサ回路から入力したＩＦ信号の同調を行なうタンク回路を含み、
前記ミキサ回路から入力したＩＦ信号について、ＩＦ帯の前記隣接上側信号の除去と、ＩＦ帯の前記隣接下側信号の除去を行なうＳＡＷトラップを含み、
前記タンク回路は、第５のコンデンサと、第５のコイルとを含み、
前記第５のコンデンサの一端と前記第５のコイルの一端とが第１のノードに接続され、
前記第５のコンデンサの他端と前記第５のコイルの他端とが第２のノードに接続され、
前記第１のノードおよび前記第２のノードに前記ミキサ回路を通過した前記ＩＦ信号が入力され、
前記ＳＡＷトラップは、トラップと、第１２のコンデンサと、第１２のコイルとを含み、
前記第１２のコイルに前記タンク回路を通過したＩＦ信号が入力され、
前記第１２のコイルは、前記トラップと前記第１２のコンデンサとが接続される、請求項１記載のチューナ。
【発明の詳細な説明】
【技術分野】
【０００１】
本発明は、チューナに関し、特に妨害波除去性能を向上させるチューナに関する。
【背景技術】
【０００２】
アナログのテレビジョン放送が開始されて５０年が経過し、テレビの保有世帯が２０００万世帯から３０００万世帯となっている。日本ではようやく２００３年にデジタルの地上波放送が開始され、２０１１年にはアナログ放送が停止されることになっている。このような放送波数の増大に対応して、テレビジョン信号受信用チューナは、妨害波の除去性能の向上が、ますます要求されている。
【０００３】
テレビジョン信号受信用チューナは、たとえば米国（ＵＳ）向けのチューナでは、４７０〜８６０ＭＨｚを受信するＵＨＦ（Ultra High Frequency）バンドと、１７０〜４７０ＭＨｚを受信するＶＨＦ（Very High Frequency）ハイバンドと、５４〜１７０ＭＨｚを受信するＶＨＦローバンドとに分割され、バンドごとに受信回路を有する。ただし、バンドがどのように分割されるかは仕向け地により異なり、特に規定されていない。従来のテレビジョン信号受信用チューナでは、一般に、シングルコンバージョン方式（スーパーヘテロダイン方式）が用いられる。
【０００４】
ここで、シングルコンバージョン方式（スーパーヘテロダイン方式）とは、無線通信の受信機において、受信した高周波信号と局部発振信号を乗算することにより、高周波信号を、高周波信号と局部発振信号の周波数の差である中間周波数（ＩＦ周波数）に周波数変換し、これを増幅したあとに復調等の受信処理を行なう方式である。
【０００５】
特許文献１記載のテレビジョン装置は、チューナおよびＶＩＦ（Video  Intermediate  Frequency）回路における、増幅器の歪みで発生する妨害波や、妨害波となる隣接信号を検出し、このような妨害波の検出量が多いほど、チューナ部の増幅器の出力を小さくして、妨害波の発生を抑制するものである。ここで、隣接信号とは、選局されたチャネルに隣接するチャネルの信号、すなわち、選局したチャネルの周波数帯域に対して、周波数軸でみて、隣に位置するチャネルであり、上側の周波数帯域のチャネルの信号（以下、隣接上側信号とする）または下側の周波数帯域のチャネルの信号（以下、隣接下側信号とする）のことである。
【特許文献１】特開昭５８−９２１４６号公報
【発明の開示】
【発明が解決しようとする課題】
【０００６】
特許文献１記載のテレビジョン装置は、妨害波の検出量が多いほど、主信号であるテレビジョン信号の増幅器の出力を小さくする制御を行なうものであるが、増幅器の出力を小さくするだけでは、妨害波を除去する手段としては不十分であった。
【０００７】
そこで、本発明は、妨害波除去性能を向上させたチューナを提供することを目的とする。
【課題を解決するための手段】
【０００８】
上記課題を解決するために、本発明に係るチューナは、選局されたチャネルの周波数に応じて、同調する周波数を変化させ、受信信号を同調するとともに、選局されたチャネルの周波数に応じて、減衰させる周波数を変化させ、イメージ信号を減衰させる入力同調回路を含み、選局されたチャネルの周波数に応じて、同調する周波数を変化させ、入力同調回路を通過した受信信号を同調するとともに、選局されたチャネルの周波数に応じて、減衰させる周波数を変化させ、イメージ信号を減衰させる出力同調回路を含み、出力同調回路を通過した受信信号を入力し、選局されたチャネルの周波数に応じて内部のインピーダンスを変更する可変型整合回路を含み、可変型整合回路を通過した受信信号を、ＩＦ信号に周波数変換するミキサ回路を含み、ミキサ回路から入力したＩＦ信号の同調と、ミキサ回路から入力したＩＦ信号について、選局されたチャネルの周波数帯域に対して、周波数軸でみて、上側の隣に位置するチャネルの信号を周波数変換することにより生成されたＩＦ帯の隣接上側信号の除去と、選局されたチャネルの周波数帯域に対して、周波数軸でみて、下側の隣に位置するチャネルの信号を周波数変換することにより生成されたＩＦ帯の隣接下側信号の除去とを行なうＩＦ同調回路を含み、ＩＦ同調回路を通過したＩＦ信号から、ＩＦ帯における映像信号用の所定の帯域成分からなる第１の信号を生成し、ＩＦ帯における音声信号用の所定の帯域成分からなる第２の信号を生成し、第１の信号及び第２の信号をベースバンド帯へ周波数変換し、復調を行ない、ベースバンド帯の第１の信号およびベースバンド帯の第２の信号を生成し、出力する復調回路を含み、復調回路から入力したベースバンド帯の第１の信号に含まれるＩＦ帯の音声信号を除去し、ベースバンド帯の映像信号の帯域以下の信号を選択的に通過させるイコライザ回路とを含む。
【０００９】
好ましくは、入力同調回路は、第１の可変容量ダイオードと、第２の可変容量ダイオードと、第１のコンデンサと、第２のコンデンサと、第１のコイルと、第２のコイルとを含み、第１の可変容量ダイオードは、カソードに第１のコンデンサが接続され、アノードに第２の可変容量ダイオードのアノードと第１のコイルと第２のコイルとが接続され、第２の可変容量ダイオードは、カソードに第２のコンデンサが接続され、第１のコンデンサは、第１のコイルに接続され、第１の可変容量ダイオードのカソードに制御電圧が入力され、第２の可変容量ダイオードのカソードに制御電圧が入力される。
【００１０】
好ましくは、出力同調回路及び可変型整合回路は、第３の可変容量ダイオードと、第４の可変容量ダイオードと、第３のコンデンサと、第４のコンデンサと、第３のコイルと、第４のコイルとを含み、第３の可変容量ダイオードは、アノードに第４の可変容量ダイオードのアノードと第３のコイルと第４のコンデンサとが接続され、第４の可変容量ダイオードは、カソードに第３のコンデンサが接続され、第４のコンデンサは、第４のコイルに接続され、第３の可変容量ダイオードのカソードに制御電圧が入力され、第４の可変容量ダイオードのカソードに制御電圧が入力される。
【００１１】
好ましくは、ＩＦ同調回路は、第５のコンデンサと、第６のコンデンサと、第７のコンデンサと、第８のコンデンサと、第５のコイルと、第６のコイルと、第７のコイルと、第８のコイルとを含み、第５のコンデンサの一端と第５のコイルの一端とが第１のノードに接続され、第５のコンデンサの他端と第５のコイルの他端とが第２のノードに接続され、
第１のノードおよび第２のノードにミキサ回路を通過したＩＦ信号が入力され、第１のノードに、第６のコンデンサの一端と、第７のコンデンサの一端と、第８のコンデンサの一端と、第６のコイルの一端と、第７のコイルの一端と、第８のコイルの一端とが接続され、第２のノードに、第６のコンデンサの他端と、第７のコンデンサの他端と、第８のコンデンサの他端と、第６のコイルの他端と、第７のコイルの他端と、第８のコイルの他端とが接続される。
【００１２】
好ましくは、イコライザ回路は、トラップと、イコライザと、第９のコンデンサと、第１０のコンデンサと、第１１のコンデンサと、第９のコイルと、第１０のコイルと、第１１のコイルとを含み、トラップおよび第９のコイルにベースバンド帯の映像信号が入力され、イコライザは、入力にトラップと第９のコイルとが接続され、出力に第１０のコンデンサと第１０のコイルとが接続され、第９のコンデンサは、第１０のコンデンサと第１１のコンデンサと第１０のコイルと第１１のコイルとに接続される。
【００１３】
好ましくは、ＩＦ同調回路は、ミキサ回路から入力したＩＦ信号の同調を行なうタンク回路を含み、ミキサ回路から入力したＩＦ信号について、ＩＦ帯の隣接上側信号の除去と、ＩＦ帯の隣接下側信号の除去とを行なうＳＡＷトラップを含み、タンク回路は、第５のコンデンサと、第５のコイルとを含み、第５のコンデンサの一端と第５のコイルの一端とが第１のノードに接続され、第５のコンデンサの他端と第５のコイルの他端とが第２のノードに接続され、第１のノードおよび第２のノードにミキサ回路を通過したＩＦ信号が入力され、ＳＡＷトラップは、トラップと、第１２のコンデンサと、第１２のコイルとを含み、第１２のコイルにタンク回路を通過したＩＦ信号が入力され、第１２のコイルは、トラップと第１２のコンデンサとが接続される。
【発明の効果】
【００１４】
妨害波除去性能を向上させることができる。
【発明を実施するための最良の形態】
【００１５】
まず、本実施の形態に係るチューナとの比較のために、従来のチューナについて説明する。
【００１６】
［構成］
図１は、従来から使用されいていると想定される、シングルコンバージョン方式のチューナの概略構成を示す。同図を参照して、このチューナは、ハイパスフィルタ２と、ＵＨＦ入力回路１００と、ＵＨＦ出力同調回路１２と、ＵＨＦミキサ回路１５と、ＵＨＦ局部発振回路１８と、ＶＨＦハイバンド入力同調回路５と、ＶＨＦローバンド入力同調回路８と、ＡＧＣ（automatic gain control）抵抗３３と、ＶＨＦ高周波増幅器１１と、ＶＨＦハイバンド出力同調回路１３と、ＶＨＦローバンド出力同調回路１４と、ＶＨＦミキサ回路１７と、ＶＨＦ局部発振回路１６と、ＶＨＦ局部発振回路２０と、ハイバンド／ローバンド切替スイッチＳ１と、ハイバンド／ローバンド切替スイッチＳ２と、ハイバンド／ローバンド切替スイッチＳ３と、ハイバンド／ローバンド切替スイッチＳ４と、ＩＦ増幅回路２１と、ＳＡＷ（Surface Acoustic Wave）フィルタ２２と、アナログ復調回路２３とを含む。
【００１７】
ＵＨＦ入力回路１００は、入力切替回路３と、入力切替回路４と、ＡＧＣ抵抗３１と、ＵＨＦ高周波増幅器９とを含む。
【００１８】
ここで、入力切替回路３および入力切替回路４は、バンド選択信号Ｂｕの制御により、このチューナが、ＵＨＦバンドの信号（以下、ＵＨＦ信号という）を選択している場合（以下、ＵＨＦバンド選択時という）には、入力切替回路３がＵＨＦ信号を抽出し、ＶＨＦバンドの信号（以下、ＶＨＦ信号という）を選択している場合（以下、ＶＨＦバンド選択時という）には入力切替回路４がＶＨＦ信号を抽出する。
【００１９】
［動作］
まず、ＵＨＦバンド選択時の、このチューナの動作について説明する。
【００２０】
ハイパスフィルタ２は、５ＭＨｚから４６ＭＨｚを減衰域とし、ＶＨＦローバンドの最低周波数である５４ＭＨｚ以上を通過域とするハイパスフィルタであり、入力端子１から受信したテレビジョン信号について、５４ＭＨｚ以上の高域周波数の成分のみを通過させる。
【００２１】
入力切替回路３は、ハイパスフィルタ２を通過したテレビジョン信号のうち、ＵＨＦ信号を抽出する。
【００２２】
ＵＨＦ入力同調回路６は、入力切替回路３によって抽出されたＵＨＦ信号を入力し、選局信号Ｖｔに応じて、特定のチャネルの周波数を選択し、同調する。ここで、同調とは、ある特定の周波数について、その周波数成分をもつ信号を共振により増幅させることをいい、その周波数以外の成分を相対的に減衰させる効果を有する。また、ＵＨＦ入力同調回路６において、バンド選択信号Ｂｕは、ＵＨＦ高周波増幅器９に供給するバイアス電圧源として使用される。
【００２３】
ＡＧＣ抵抗３１は、ＡＧＣ端子３０とＵＨＦ高周波増幅器９との間に接続される。
【００２４】
ＡＧＣ端子３０は、アナログ復調回路２３から供給される利得制御電圧を入力する。
【００２５】
ＵＨＦ高周波増幅器９は、ＡＧＣ端子３０からＡＧＣ抵抗３１を介して印加される利得制御電圧を受けて、ＵＨＦ入力同調回路６によって同調されたＵＨＦ信号を増幅する。
【００２６】
ＵＨＦ出力同調回路１２は、ＵＨＦ高周波増幅器９によって増幅されたＵＨＦ信号を入力し、選局信号Ｖｔに応じて、特定のチャネルの周波数を選択し、同調する。
【００２７】
ＵＨＦミキサ回路１５は、ＵＨＦ局部発振回路１８からの局部発振信号を入力し、ＵＨＦ出力同調回路１２によって同調されたＵＨＦ信号をＩＦ信号に周波数変換する。
【００２８】
ＩＦ増幅回路２１はＵＨＦミキサ回路１５からＩＦ信号を入力し、増幅する。
【００２９】
ＳＡＷフィルタ２２は、ハイパスフィルタであり、ＩＦ増幅回路２１から入力した信号のうち、ＵＨＦ信号から周波数変換されたＩＦ信号以外の周波数成分を除去する。
【００３０】
アナログ復調回路２３は、ＳＡＷフィルタ２２から入力したＩＦ信号から、ＩＦ帯における映像信号用の所定の帯域からなるＩＦ信号（ＩＦ帯の映像帯域信号とする）を生成し
、また、ＳＡＷフィルタ２２から入力したＩＦ信号から、ＩＦ帯における音声信号用の所定の帯域からなるＩＦ信号（ＩＦ帯の音声帯域信号とする）を生成し、これらのＩＦ信号をベースバンド帯へ周波数変換し、復調を行ない、ベースバンド帯の映像帯域信号およびベースバンド帯の音声帯域信号を生成し、出力する。また、これらのＩＦ信号または復調したベースバンド帯の帯域信号のレベルに応じて、利得制御電圧を生成し、ＡＧＣ端子３０を介してＵＨＦ高周波増幅器９へ出力する。
【００３１】
次に、ＶＨＦバンド選択時の、このチューナの動作について説明する。
【００３２】
入力切替回路４は、ハイパスフィルタ２を通過したテレビジョン信号のうち、ＶＨＦ信号を抽出する。
【００３３】
ハイバンド／ローバンド切替スイッチ２５は、ＶＨＦ信号を、ＶＨＦハイバンド信号とＶＨＦローバンド信号とで切り替える。ＶＨＦハイバンド入力同調回路５は、ハイバンド／ローバンド切替スイッチＳ１で切り替えられた、ＶＨＦハイバンド信号を入力し、同調する。
【００３４】
一方、ＶＨＦローバンド入力同調回路８は、ハイバンド／ローバンド切替スイッチＳ１で切り替えられた、ＶＨＦローバンド信号を入力し、同調する。
【００３５】
ＡＧＣ抵抗３３は、ＡＧＣ端子３０とＶＨＦ高周波増幅器１１との間に接続される。ＡＧＣ端子３０は、アナログ復調回路２３から供給される利得制御電圧を入力する。
【００３６】
ＶＨＦ高周波増幅器１１は、ＡＧＣ端子３０からＡＧＣ抵抗３３を介して印加される利得制御電圧を受けて、ＶＨＦハイバンド信号またはＶＨＦローバンド信号を増幅する。
【００３７】
ハイバンド／ローバンド切替スイッチＳ２は、ＶＨＦ高周波増幅器１１によって増幅されたＶＨＦハイバンド信号またはＶＨＦローバンド信号を入力し、切り替える。ＶＨＦハイバンド出力同調回路１３は、ハイバンド／ローバンド切替スイッチＳ２で切り替えられた、ＶＨＦハイバンド信号を入力し、同調する。
【００３８】
ＶＨＦローバンド出力同調回路１４は、ハイバンド／ローバンド切替スイッチＳ２で切り替えられた、ＶＨＦローバンド信号を入力し、同調する。
【００３９】
ＶＨＦミキサ回路１７は、ハイバンド／ローバンド切替スイッチＳ４で切り替えられた局部発振信号を入力し、ハイバンド／ローバンド切替スイッチＳ３で切り替えられたＶＨＦハイバンド信号またはＶＨＦローバンド信号をＩＦ信号に周波数変換する。
【００４０】
ここで、ハイバンド／ローバンド切替スイッチＳ４は、ＶＨＦハイバンド信号を周波数変換するための局部発振信号を出力するＶＨＦハイバンド局部発振回路２０およびＶＨＦローバンド信号を周波数変換するための局部発振信号を出力するＶＨＦローバンド局部発振回路１６を入力し、切り替える。
【００４１】
ＩＦ増幅回路２１はＶＨＦミキサ回路１６からＩＦ信号を入力し、増幅する。
【００４２】
ＳＡＷフィルタ２２は、ハイパスフィルタであり、ＩＦ増幅回路２１から入力した信号のうち、ＶＨＦ信号から周波数変換されたＩＦ信号以外の周波数成分を除去する。
【００４３】
アナログ復調回路２３は、ＳＡＷフィルタ２２から入力したＩＦ信号から、ＩＦ帯における映像信号用の所定の帯域からなるＩＦ信号（ＩＦ帯の映像帯域信号とする）を生成し
、また、ＳＡＷフィルタ２２から入力したＩＦ信号から、ＩＦ帯における音声信号用の所定の帯域からなるＩＦ信号（ＩＦ帯の音声帯域信号とする）を生成し、これらのＩＦ信号をベースバンド帯へ周波数変換し、復調を行ない、ベースバンド帯の映像帯域信号およびベースバンド帯の音声帯域信号を生成し、出力する。また、これらのＩＦ信号または復調したベースバンド帯の帯域信号のレベルに応じて、利得制御電圧を生成し、ＡＧＣ端子３０を介してＵＨＦ高周波増幅器１１へ出力する。
【００４４】
なお、ハイバンド／ローバンド切替スイッチＳ１〜Ｓ４の切替動作は、ＶＨＦハイバンドとＶＨＦローバンドの選択に応じて、図示しない制御回路により行なわれる。
【００４５】
また、バンド選択信号Ｂｕは、ＵＨＦバンドとＶＨＦバンドの選択に応じて、また、選局信号Ｖｔは、選局するチャネルの周波数に応じて、図示しない制御回路によって生成され、出力されるものである。
【００４６】
次に、このチューナにおけるＵＨＦ入力回路１００を具体化したものについて説明する。
【００４７】
［構成］
図２は、このチューナにおけるＵＨＦ入力回路１００の具体的な構成を示す。同図を参照して、このＵＨＦ入力回路１００は、コンデンサＣｄと、コンデンサＣｅ３１と、コンデンサＣｅ３２と、コンデンサＣｅ３３と、コンデンサＣｅ３４と、コンデンサＣｅ３５と、コンデンサＣｅ３６と、コンデンサＣｅ３７と、コンデンサＣｈと、コンデンサＣｔと、コイルＬ３１と、コイルＬ３２と、コイルＬ３３と、コイルＬ３４と、コイルＬ３５と、コイルＬ３６と、抵抗Ｒ３１と、抵抗Ｒ３２と、抵抗Ｒ３３と、抵抗Ｒ３４と、抵抗Ｒ３６と、ＡＧＣ抵抗３３と、ダイオードＳＷ３１と、ダイオードＳＷ３２と、ダイオードＳＷ３３と、可変容量ダイオードＤｔ３１と、ＵＨＦ高周波増幅器９とを含む。
【００４８】
ダイオードＳＷ３１のアノードが外部（図１に示すハイバンド／ローバンド切替スイッチＳ１）に接続され、カソードがダイオードＳＷ３２のカソードおよびコイルＬ３３に接続される。
【００４９】
ダイオードＳＷ３２のアノードがコンデンサＣｅ３２および抵抗Ｒ３２に接続される。
【００５０】
ダイオードＳＷ３３のカソードがコンデンサＣｄ、抵抗Ｒ３１およびコイルＬ３３に接続され、アノードが抵抗Ｒ３３およびコンデンサＣｈに接続される。
【００５１】
コンデンサＣｄ３１はその一端が外部（図１に示すハイパスフィルタ２）に接続される。
【００５２】
抵抗Ｒ３１、コンデンサＣｅ３１、コンデンサＣｅ３２、コンデンサＣｅ３３、コンデンサＣｅ３４、コンデンサＣｅ３５、コンデンサＣｅ３６、コンデンサＣｅ３７、コンデンサＣｔ、コイルＬ３１およびコイルＬ３２は、これらの一端が第１の固定電位（接地電位）に接続される。
【００５３】
バンド選択信号Ｂｕが抵抗Ｒ３２、抵抗Ｒ３３およびコンデンサＣｅ３１に入力される。
【００５４】
コンデンサＣｈ、コイルＬ３１およびコイルＬ３４が接続される。
【００５５】
可変容量ダイオードＤｔ３１のカソードがコンデンサＣｔおよび抵抗Ｒ３４に接続され、アノードがコイルＬ３２、コイルＬ３４およびコンデンサＣｄ３２に接続される。
【００５６】
選局信号Ｖｔは、コンデンサＣｅ３３および抵抗Ｒ３４に入力される。
【００５７】
バンド選択信号Ｂｕが、コンデンサＣｅ３４および抵抗Ｒ３４に入力される。
【００５８】
ＡＧＣ端子３０は、コンデンサＣｅ３５およびＡＧＣ抵抗３１に接続される。
【００５９】
ＵＨＦ高周波増幅器９は、２つの入力のうち、一方がコンデンサＣｄ３２およびコイルＬ３５に接続され、他方が、ＡＧＣ抵抗３１およびコンデンサＣｅ３７に接続される。
【００６０】
ＵＨＦ高周波増幅器９の出力は、抵抗Ｒ３６および外部（図１に示すＵＨＦ出力同調回路１２）に接続される。
【００６１】
＋Ｂ端子は、コンデンサＣｅ３６およびコイルＬ３６に接続される。
【００６２】
コイルＬ３６および抵抗Ｒ３６が接続される。
【００６３】
コンデンサＣｄ３１およびコンデンサＣｄ３２は、外部回路からの直流電位の影響を排除する。
【００６４】
抵抗Ｒ３１および抵抗Ｒ３３は、ダイオードＳＷ３３に印加される電圧を決めるためのものであり、抵抗Ｒ３１および抵抗Ｒ３２でダイオードＳＷ３１およびダイオードＳＷ３２に印加される電圧を決めるためのものである。
【００６５】
コンデンサＣｅ３１、コンデンサＣｅ３２、コンデンサＣｅ３３、コンデンサＣｅ３４、コンデンサＣｅ３５、コンデンサＣｅ３６およびコンデンサＣｅ３７は、高調波のノイズを除去する。
【００６６】
コイルＬ３３、コイルＬ３１およびコンデンサＣｈは、ハイパスフィルタを構成し、ＵＨＦバンドより低い周波数成分を除去する。
【００６７】
ここで、ＵＨＦ入力回路１００においては、このハイパスフィルタの振幅特性による影響から、ＵＨＦバンドにおける低域の周波数において回路の利得が低く、感度偏差が劣化することになるため、コイルＬ３５を配置している。すなわち、コイルＬ３５は、ＵＨＦバンドより低い周波数について共振し、信号を増幅させる特性を有し、この特性の影響により、ＵＨＦバンドにおける低域の周波数において回路の利得を増加させ、ＵＨＦバンド内の感度偏差の劣化を防いでいる。ここで、感度偏差とは、ある特定の周波数領域内において、回路が動作可能な最小レベルの各周波数におけるばらつきをいう。
【００６８】
可変容量ダイオードＤｔ３１、コンデンサＣｔおよびコイルＬ３２は、共振回路を構成する。
【００６９】
コイルＬ３６は、ＲＦチョークコイルであり、ＵＨＦ信号より低い周波数の信号を除去する。
【００７０】
抵抗Ｒ３６は、コイルＬ３６による共振を防ぐために、回路のインピーダンスをあげるためのものである。
【００７１】
＋Ｂ端子は、ＵＨＦ高周波増幅器９の出力電圧を得るためのものであり、常に第２の固定電位（電源電圧）である。
【００７２】
ＡＧＣ端子３０は、アナログ復調回路２３から供給される利得制御電圧を入力する。
【００７３】
なお、ＵＨＦ入力回路１００に入力されるバンド選択信号Ｂｕ、選局信号ＶｔおよびダイオードＳＷ３１のアノードに供給される電圧は、図示しない制御回路により、以下のように電圧制御されるものとする。
【００７４】
バンド選択信号Ｂｕは、ＵＨＦバンド選択時は、第２の固定電位（電源電圧）となり、ＶＨＦバンド選択時は、第１の固定電位（接地電位）となる。
【００７５】
選局信号Ｖｔは、現在選局しているチャネルの周波数より、これから選局するチャネルの周波数が低いときは、供給する電圧を小さくなる。これにより、可変容量ダイオードＤｔ３１に印加される逆電圧が小さくなり、可変容量ダイオードＤｔ３１の容量が大きくなり、可変容量ダイオードＤｔ３１、コンデンサＣｔおよびコイルＬ３２からなる共振回路の共振周波数を小さくすることができる。
【００７６】
また、選局信号Ｖｔは、現在選局しているチャネルの周波数より、これから選局するチャネルの周波数が高いときは、供給する電圧が大きくなる。これにより、可変容量ダイオードＤｔ３１に印加される逆電圧が大きくなり、可変容量ダイオードＤｔ３１の容量が小さくなり、可変容量ダイオードＤｔ３１、コンデンサＣｔおよびコイルＬ３２からなる共振回路の共振周波数を大きくすることができる。
【００７７】
ダイオードＳＷ３１のアノードの電位は、ＵＨＦバンド選択時は、第１の固定電位（接地電位）となり、ＶＨＦバンド選択時は、第２の固定電位（電源電圧）となる。
【００７８】
［動作］
このＵＨＦ入力回路１００の動作について説明する。
【００７９】
ハイパスフィルタ２を通過したテレビジョン信号が入力される。
【００８０】
ここで、ＶＨＦバンド選択時は、Ｂｕ端子は第１の固定電位（接地電位）となり、ダイオードＳＷ３１のアノードの電位は、第２の固定電位（電源電圧）となる。
【００８１】
したがって、ダイオードＳＷ３２およびダイオードＳＷ３３は、順方向電圧が印加されないため、オフ状態となる。また、ダイオードＳＷ３２のアノードの電位がさがることから、ダイオードＳＷ３２のカソードの電位もさがり、ダイオードＳＷ３１のカソードの電位がさがることになる。そうすると、ダイオードＳＷ３１に順方向電圧が印加されるため、ダイオードＳＷ３１がオン状態となる。
【００８２】
そうすると、テレビジョン信号はＵＨＦ信号を処理する側、すなわち、コンデンサＬ３１、コンデンサＬ３３およびコイルＬ３１から構成されるハイパスフィルタへは出力されず、ＶＨＦ信号を処理する側、すなわち、ハイバンド／ローバンド切替スイッチＳ１へ出力される。
【００８３】
一方、ＵＨＦバンド選択時は、Ｂｕ端子は第２の固定電位（電源電圧）となり、ダイオードＳＷ３１のアノードの電位は、第１の固定電位（接地電位）となる。
【００８４】
このとき、ダイオードＳＷ３２およびダイオードＳＷ３３は、順方向電圧が印加されるため、オン状態となる。また、ダイオードＳＷ３２のアノードの電位があがることから、ダイオードＳＷ３２のカソードの電位もあがり、ダイオードＳＷ３１のカソードの電位があがることになる。そうすると、ダイオードＳＷ３１に順方向電圧が印加されないため、ダイオードＳＷ３１がオフ状態となる。
【００８５】
そうすると、テレビジョン信号はＶＨＦ信号を処理する側、すなわち、ハイバンド／ローバンド切替スイッチ５１へは出力されず、ＵＨＦ信号を処理する側、すなわち、コンデンサＬ３１、コンデンサＬ３３およびコイルＬ３１から構成されるハイパスフィルタへ出力される。
【００８６】
コンデンサＬ３１、コンデンサＬ３３およびコイルＬ３１から構成されるハイパスフィルタに入力されたＵＨＦ信号は、ＵＨＦバンドより低い周波数成分が除去され、可変容量ダイオードＤｔ３１、コンデンサＣｔおよびコイルＬ３２から構成される共振回路に入力される。
【００８７】
ＵＨＦ信号はこの共振回路によって同調され、ＵＨＦ高周波増幅器９に出力される。この共振回路では、選局するチャネルの周波数によって、選局信号Ｖｔとして供給される電圧が変化し、可変容量ダイオードＤｔ３１の容量が変化し、この共振回路の共振周波数が変化する。
【００８８】
ＵＨＦ高周波増幅器９は、この同調されたＵＨＦ信号を増幅し、外部（図１に示すＵＨＦ出力同調回路１２）へ出力する。ここで、ＵＨＦ高周波増幅器９では、一方の入力であるＵＨＦ信号と他方の入力であるＡＧＣ電圧入力の差分に応じて、増幅利得が決まる。
【００８９】
次に、このチューナにおけるＵＨＦ出力同調回路１２を具体化したものについて説明する。
【００９０】
［構成］
図３は、このチューナにおけるＵＨＦ出力同調回路１２の具体的な構成を示す。同図を参照して、このＵＨＦ出力同調回路１２は、抵抗Ｒ４１、抵抗Ｒ４２、抵抗Ｒ４３、コンデンサＣ４１、コンデンサＣ４２、コンデンサＣ４３、コンデンサＣ４４、コンデンサＣｍ４１、コイルＬ４１、コイルＬ４２、可変容量ダイオードＤｔ４１および可変容量ダイオードＤｔ４２を含む。
【００９１】
抵抗Ｒ４１は、外部（図１に示すＵＨＦ高周波増幅器９）に接続される。
【００９２】
コンデンサＣｍ４１は、その一端が抵抗Ｒ４１およびコンデンサＣ４１に接続される。
【００９３】
可変容量ダイオードＤｔ４１のアノードがコンデンサＣ４１およびコイルＬ４１に接続され、カソードがコンデンサＣ４２および抵抗Ｒ４２に接続される。
【００９４】
選局信号Ｖｔは、抵抗Ｒ４２および抵抗Ｒ４３に入力される。
【００９５】
可変容量ダイオードＤｔ４２のアノードがコイルＬ４２、コンデンサＣｍ４１およびコンデンサＣ４４に接続され、カソードがコンデンサＣ４３および抵抗Ｒ４３に接続される。
【００９６】
コンデンサＣ４４は外部（図１に示すＵＨＦミキサ回路１５）に接続される。
【００９７】
コイルＬ４１、コイルＬ４２およびコンデンサＣｍ４１は、トラップを構成し、イメージ信号を除去する。
【００９８】
ここで、トラップとは、ある特定の周波数について、その周波数成分をもつ信号を、共振により減衰させる回路のことをいう。
【００９９】
また、スーパーヘテロダイン方式では、局部発振信号の周波数よりＩＦ周波数だけ上下に離れた２つの周波数の信号が受信される。上下２つの周波数の一方が目的のテレビジョン信号となり、他方は不要な信号となる。後者をイメージ信号という。イメージ信号を除去するのは、他のチャネルのイメージ信号が、選択したチャネルの信号の周波数帯域内に存在すると、妨害波となり、受信特性が悪化するからである。
【０１００】
可変容量ダイオードＤｔ４１、コンデンサＣ４２およびコイルＬ４１は、共振回路を構成する。
【０１０１】
可変容量ダイオードＤｔ４２、コンデンサＣ４３およびコイルＬ４２は、共振回路を構成する。
【０１０２】
コンデンサＣ４１は、これらの共振回路間の整合をとるためのものである。
【０１０３】
ここで、整合とは、信号源のインピーダンスと負荷のインピーダンスを等しくすることにより、負荷に供給される電力を最大にすることをいう。
【０１０４】
コンデンサＣ４４は、可変容量ダイオードＤｔ４２、コンデンサＣ４３およびコイルＬ４２からなる共振回路と図１に示すＵＨＦミキサ回路１５との整合をとり、また、図１に示すＵＨＦミキサ回路１５に対する、ＵＨＦ出力同調回路１２の直流電位の影響を排除する。
【０１０５】
［動作］
このＵＨＦ出力同調回路の動作について説明する。
【０１０６】
ＵＨＦ入力回路１００におけるＵＨＦ高周波増幅器９から出力されたＵＨＦ信号が入力される。
【０１０７】
ＵＨＦ信号は、可変容量ダイオードＤｔ４１、コンデンサＣ４２およびコイルＬ４１から構成される共振回路に入力される。この共振回路では、選局するチャネルの周波数によって、選局信号Ｖｔとして供給される電圧が変化し、可変容量ダイオードＤｔ４１の容量が変化し、共振周波数が変化する。
【０１０８】
ＵＨＦ信号はこの共振回路によって同調され、コイルＬ４１、コイルＬ４２およびコンデンサＣｍ４１から構成される、トラップへ出力される。
【０１０９】
ＵＨＦ信号は、このトラップによって、イメージ信号が除去され、可変容量ダイオードＤｔ４２、コンデンサＣ４３およびコイルＬ４２から構成される共振回路へ出力される。この共振回路も、上記と同様に、選局するチャネルの周波数によって、選局信号Ｖｔとして供給される電圧が変化し、可変容量ダイオードＤｔ３１の容量が変化し、共振周波数が変化する。
【０１１０】
ＵＨＦ信号は、この共振回路によって同調され、外部（図１に示すＵＨＦミキサ回路１５）へ出力される。
【０１１１】
次に、本発明の実施の形態について、図面を用いて説明する。
【０１１２】
＜第１の実施の形態＞
本実施の形態は、従来のチューナにおけるＳＡＷフィルタを調整し、また、トラップやフィルタ等の回路を追加したチューナに関する。
【０１１３】
［構成］
図４は、第１の実施の形態に係るチューナの概略構成を示す。同図を参照して、このチューナは、図１に示すチューナに対して、ＳＡＷフィルタ２２の代わりに、調整を行なったＳＡＷフィルタ２９を含み、さらに、ＵＨＦ入力回路１００の代わりに、ＵＨＦ入力同調回路６にイメージ信号の除去回路を追加したＵＨＦ入力同調回路２４を含むＵＨＦ入力回路２００と、可変型整合回路１０と、タンク回路１９と、イコライザ回路２７とを含む。
【０１１４】
ＳＡＷフィルタ２９は、群遅延特性が、３ＭＨｚにおいて０〜＋１３０ｎ［ｓｅｃ］および３．５８ＭＨｚにおいて０〜＋１５０ｎ［ｓｅｃ］に調整されている。
【０１１５】
ここで、群遅延特性とは、一定の周波数幅をもった信号が送信された場合に、各周波数成分の受信側における遅延のばらつきをいい、各周波数成分が、同じ遅延であれば波形のくずれはなく，各周波数成分の遅延がずれると波形がくずれ、信号が劣化する。
【０１１６】
その他の構成は図１に示すチューナと同様である。
【０１１７】
［動作］
ＵＨＦ入力同調回路２４は、入力切替回路３によって抽出されたＵＨＦ信号を入力し、選局信号Ｖｔに応じて、特定のチャネルの周波数を選択し、同調するとともに、選局信号Ｖｔに応じて、共振周波数を選択することにより、ＵＨＦ信号のイメージ信号を除去する。
【０１１８】
ＵＨＦ出力同調回路１２は、選局信号Ｖｔに応じて、回路のインピーダンスを変更し、共振周波数を変更する回路であるが、可変型整合回路１０は、ＵＨＦ出力同調回路１２と同様に選局信号Ｖｔに応じて、回路のインピーダンスを変更することにより、ＵＨＦ出力同調回路１２と図１に示すＵＨＦミキサ回路１５との整合をとる。ここで、整合とは、信号源のインピーダンスと負荷のインピーダンスを等しくすることにより、負荷に供給される電力を最大にすることをいう。
【０１１９】
したがって、可変型整合回路１０は、ＵＨＦバンドにおいて選局される各チャネルについて、ＵＨＦ出力同調回路１２によって同調され、図１に示すＵＨＦミキサ回路１５へ出力されるＵＨＦ信号の電力を増大させ、ＵＨＦ信号に対してイメージ信号を相対的に減衰させる。
【０１２０】
タンク回路１９は、ＵＨＦミキサ回路１５から入力されたＩＦ信号の同調および隣接信号の除去を行なう。
【０１２１】
イコライザ回路２７は、アナログ復調回路２３において、ＩＦ帯の映像帯域信号に混入した、ＩＦ帯の音声信号の除去と、ベースバンド帯の映像信号の群遅延特性および振幅特性の調整と、隣接信号の除去とを行なう。
【０１２２】
ここで、日本で採用されているテレビジョン放送の標準方式である、ＮＴＳＣ（National Television System Communication）方式において、１チャネルは６ＭＨｚの帯域幅であり、この１チャネルの帯域内に、映像信号や音声信号などの信号が存在し、帯域が分けられている。チャネル内で最も低い周波数を０Ｈｚと仮定したときの相対的な周波数は、映像信号の搬送波が１．２５ＭＨｚであって、音声信号の搬送波が５．７５ＭＨｚである。また、映像信号の帯域は、搬送波の下側が１．２５ＭＨｚ、上側が４．２５ＭＨｚであり、音声信号の帯域は、搬送波の下側及び上側でそれぞれ０．２５ＭＨｚである。したがって、映像信号の帯域で最も高い周波数が５．５ＭＨｚであり、音声信号の帯域で最も低い周波数が５．５ＭＨｚであるから、音声信号は映像信号と隣接している。また、下側の隣接チャネルの信号は−６ＭＨｚ〜０Ｈｚであり、上側の隣接チャネルの信号は＋６ＭＨｚ〜＋１２ＭＨｚの帯域をもつことになる。
【０１２３】
ここで、アナログ復調器２３においては、通常バンドパスフィルタ等を用いて、映像信号および音声信号を含んだＩＦ信号から、それぞれのＩＦ信号を抽出するが、これによって生成されたＩＦ帯の映像帯域信号に、除去しきれなかったＩＦ帯の音声信号が混入する場合がある。したがって、ＩＦ帯の映像帯域信号が周波数変換されると、ＩＦ帯の映像信号がベースバンド帯の映像信号となるのに対して、このＩＦ帯の音声信号は４．５ＭＨｚのＩＦ信号（以下、混入によるＩＦ帯の音声信号とする）となり、この混入によるＩＦ帯の音声信号は、ベースバンド帯の映像信号に対して隣接しており、妨害波となる。
【０１２４】
その他の動作については、図１に示すチューナと同様である。
【０１２５】
図１に示す従来のチューナにおいては、ＵＨＦバンドにおけるイメージ信号を除去する対策が十分でなく、また、妨害波となる隣接信号を除去する対策が十分でないという欠点がある。
【０１２６】
しかしながら、本実施の形態に係るチューナでは、可変型イメージトラップ７によって、ＵＨＦ信号のイメージ信号を除去し、また、可変型整合回路１０によって、ＵＨＦ出力同調回路１２によって同調されるＵＨＦ信号の電力を増大させるため、イメージ信号を十分に除去することができ、また、タンク回路１９によって、ＩＦ信号の同調および隣接信号の除去を行ない、かつ、イコライザ回路２７において、混入によるＩＦ帯の音声信号の除去および隣接信号の除去を行なうことから、隣接信号などを十分に除去することができる。
【０１２７】
＜第２の実施の形態＞
本実施の形態は、第１の実施の形態に係るチューナにおけるＵＨＦ入力回路２００を具体化したものである。
【０１２８】
［構成］
図５は、このチューナにおけるＵＨＦ入力回路２００の具体的な構成を示す。同図を参照して、このＵＨＦ入力回路２００は、ＵＨＦ入力回路１００に対して、さらに、抵抗Ｒ３５、コンデンサＣｍ３１および可変容量ダイオードＤｔ３２を含む。
【０１２９】
コンデンサＣｍ３１がコンデンサＣｈ、コイルＬ３１およびコイルＬ３４に接続される。
【０１３０】
可変容量ダイオードＤｔ３２のカソードが、コンデンサＣｍ３１、コンデンサＣｄ３２および抵抗Ｒ３５に接続され、アノードが、可変容量ダイオードＤｔ３１のアノード、コイルＬ３２およびコイルＬ３４に接続される。
【０１３１】
可変容量ダイオードＤｔ３２、コイルＬ３４およびコンデンサＣｍ３１は、可変型イメージトラップを構成する。
【０１３２】
また、ＵＨＦ入力回路１００からコイルＬ３５およびコンデンサＣｅ３４を削除している。これは、コイルＬ３５の共振が、可変型イメージトラップの共振に影響を与え、イメージ信号除去の効果が妨げられることを防止するためである。
【０１３３】
選局信号Ｖｔは、抵抗Ｒ３４、抵抗Ｒ３５およびコンデンサＣｅ３３に入力される。
【０１３４】
その他の構成はＵＨＦ入力回路１００と同様である。
【０１３５】
［動作］
このＵＨＦ入力回路２００の動作について説明する。
【０１３６】
可変容量ダイオードＤｔ３２、コイルＬ３４およびコンデンサＣｍ３１から構成される可変型イメージトラップは、選局信号Ｖｔに応じて、可変容量ダイオードＤｔ３２の容量を変更し、回路のインピーダンスを変更することにより、共振周波数を変化させ、ＵＨＦバンドにおいて、選局される各チャネルの周波数に応じたイメージ信号を除去する。
【０１３７】
その他の動作はＵＨＦ入力回路２００と同様である。
【０１３８】
したがって、図１に示す従来のチューナにおいては、ＵＨＦバンドにおけるイメージ信号を除去する対策が十分でないという欠点があるが、本発明のチューナでは、本実施の形態に係るＵＨＦ入力回路２００における可変型イメージトラップによって、ＵＨＦ信号のイメージ信号を十分に除去することができる。
【０１３９】
＜第３の実施の形態＞
本実施の形態は、第１の実施の形態に係るチューナにおけるＵＨＦ出力同調回路１２および可変型整合回路１０を具体化したものである。
【０１４０】
［構成］
図６は、第１の実施の形態に係るチューナにおけるＵＨＦ出力同調回路１２および可変型整合回路１０の具体的な構成を示す。同図を参照して、このＵＨＦ出力同調回路１２および可変型整合回路１０は、可変容量ダイオードＤｔ４３および抵抗Ｒ４４を含む。
【０１４１】
可変容量ダイオードＤｔ４３のカソードに抵抗Ｒ４４およびコンデンサＣ４４が接続され、アノードにコンデンサＣｍ４１、コイルＬ４２および可変容量ダイオードＤｔ４２のアノードが接続される。
【０１４２】
抵抗Ｒ４４に選局信号Ｖｔが入力される。
【０１４３】
その他の構成は従来のチューナにおけるＵＨＦ出力同調回路１２と同様である。
【０１４４】
［動作］
ＵＨＦ出力同調回路１２は、選局信号Ｖｔに応じて、回路のインピーダンスを変更し、共振周波数を変更する回路であるが、可変型整合回路１０は、ＵＨＦ出力同調回路１２と同様に選局信号Ｖｔに応じて、回路のインピーダンスを変更することにより、ＵＨＦ出力同調回路１２と図１に示すＵＨＦミキサ回路１５との整合をとる。ここで、整合とは、信号源のインピーダンスと負荷のインピーダンスを等しくすることにより、負荷に供給される電力を最大にすることをいう。
【０１４５】
したがって、可変型整合回路１０は、ＵＨＦバンドにおいて、選局される各チャネルについて、ＵＨＦ出力同調回路１２によって同調され、図１に示すＵＨＦミキサ回路１５へ出力されるＵＨＦ信号の電力を増大させ、ＵＨＦ信号に対してイメージ信号を相対的に減衰させる。
【０１４６】
また、ＵＨＦ入力回路１００においては、Ｌ３５を配置することにより、ＵＨＦバンドにおける低域の周波数について回路の利得を増加させ、ＵＨＦバンド内の感度偏差の劣化を防いでいるが、ＵＨＦ入力回路２００においては、このＬ３５を削除しているため、感度偏差の劣化が起こりうる。しかしながら、可変型整合回路１０によって、ＵＨＦ入力回路１００におけるＬ３５を削除したことによる、ＵＨＦバンド内の感度偏差を抑えることができる。
【０１４７】
すなわち、選局するチャネルの周波数が低くなるにしたがって、選局信号Ｖｔの電圧値が小さくなり、可変容量ダイオードＤｔ３１に印加される逆電圧が小さくなり、可変容量ダイオードＤｔ３１の容量が大きくなり、より低域の周波数についてもインピーダンスが低くなり、低域の周波数について回路の利得が増加する。
【０１４８】
その他の動作は従来のチューナにおけるＵＨＦ出力同調回路１２と同様である。
【０１４９】
したがって、図１に示す従来のチューナにおいては、ＵＨＦバンドにおけるイメージ信号を除去する対策が十分でないという欠点があるが、本発明のチューナでは、本実施の形態に係る可変型整合回路１０によって、ＵＨＦ信号のイメージ信号を十分に除去することができる。
【０１５０】
ここで、図１に示す従来のチューナにおいては、ＵＨＦバンドのイメージ除去比、すなわち、イメージ信号レベルに対する選局したＵＨＦ信号レベルの比が、約６０ｄＢであった。特に、テレビジョン信号の入力レベルが９０ｄＢｕＶ（ｄＢｕＶとは、１ｕＶに対する電圧比をいう）以上になるとイメージ除去比が６０ｄＢを下回り、受信特性が悪化していたが、本発明のチューナにおいては、第２の実施の形態に係る可変型イメージトラップ７と、本実施の形態に係るコイルＬ４１、コイルＬ４２およびコンデンサＣｍ４１から構成されるトラップおよび可変型整合回路１０とによって、テレビジョン信号の入力レベルが９０ｄＢｕＶ以上の場合でもイメージ除去比を６０ｄＢ以上とすることが可能となる。
【０１５１】
＜第４の実施の形態＞
本実施の形態は、第１の実施の形態に係るチューナにおけるタンク回路１９を具体化したものである。
【０１５２】
［構成］
図７は、第１の実施の形態に係るチューナにおけるタンク回路１９の具体的な構成を示す。同図を参照して、このタンク回路１９は、コンデンサＣ５１と、コンデンサＣ５２と、コンデンサＣ５３と、コンデンサＣ５４と、コンデンサＣ５５と、コンデンサＣ５６と、コンデンサＣ５７と、コンデンサＣ５８と、コンデンサＣ５９と、コンデンサＣ６０と、コンデンサＣ６１と、コンデンサＣ６２と、コンデンサＣ６３と、コンデンサＣ６４と、コイルＬ５１と、コイルＬ５２と、コイルＬ５３と、コイルＬ５４とを含む。
【０１５３】
ＵＨＦミキサ回路１５の平衡出力の一方が、コンデンサＣ６０およびコンデンサＣ６３に接続され、他方がコンデンサＣ６１およびコンデンサＣ６４に接続される。
【０１５４】
コンデンサＣ６３が、コンデンサＣ６２、コイルＬ５４に接続される。
【０１５５】
コンデンサＣ６４が、コンデンサＣ６２、コイルＬ５４に接続される。
【０１５６】
コンデンサＣ５９が、コンデンサＣ５７、コンデンサＣ５８、コンデンサＣ６０、コンデンサＣ６１およびコイルＬ５３に接続される。
【０１５７】
コンデンサＣ５６が、コンデンサＣ５４、コンデンサＣ５５、コンデンサＣ５６、コンデンサＣ５７およびコイルＬ５２に接続される。
【０１５８】
コンデンサＣ５２が、コンデンサＣ５１、コイルＬ５１に接続される。
【０１５９】
コンデンサＣ５３が、コンデンサＣ５１、コイルＬ５１に接続される。
【０１６０】
ＩＦ増幅回路２１の平衡入力の一方が、コンデンサＣ５２およびコンデンサＣ５５に接続され、他方がコンデンサＣ５３およびコンデンサＣ５４に接続される。
【０１６１】
コンデンサＣ６２およびコイルＬ５４は、平衡型下側隣接トラップ５３を構成する。
【０１６２】
コンデンサＣ５９およびコイルＬ５３は、同調回路を構成し、コンデンサＣ５６およびコイルＬ５２は、同調回路を構成する。これら２つの同調回路により、複同調回路５２が構成される。
【０１６３】
コンデンサＣ５１およびコイルＬ５１は、平衡型上側隣接トラップ５１を構成する。
【０１６４】
コンデンサＣ６３およびコンデンサＣ６４は、図４に示すＵＨＦミキサ回路１５と、平衡型下側隣接トラップ５３との整合用コンデンサである。
【０１６５】
コンデンサＣ５２およびコンデンサＣ５３は、図４に示すＵＨＦミキサ回路１５と、平衡型上側隣接トラップ５１との整合用コンデンサである。
【０１６６】
コンデンサＣ６０およびコンデンサＣ６１は、図４に示すＵＨＦミキサ回路１５と、複同調回路５２との整合用コンデンサである。
【０１６７】
コンデンサＣ５７およびコンデンサＣ５８は、コンデンサＣ５９およびコイルＬ５３からなる同調回路と、コンデンサＣ５６およびコイルＬ５２からなる同調回路との整合用コンデンサである。
【０１６８】
コンデンサＣ５４およびコンデンサＣ５５は、複同調回路５２と、図４に示すＩＦ増幅回路２１との整合用コンデンサである。
【０１６９】
［動作］
平衡型下側隣接トラップ５３は、ＵＨＦミキサ回路１５において、ＵＨＦ信号と同様に周波数変換された、ＩＦ帯の隣接下側信号の除去を行なう。
【０１７０】
複同調回路５２は、２つの同調回路において、それぞれＩＦ信号の同調を行なう。
【０１７１】
平衡型上側隣接トラップ５１は、複同調回路５３において同調されたＩＦ信号に隣接する、ＵＨＦミキサ回路１５において、ＵＨＦ信号と同様に周波数変換された、ＩＦ帯の上側隣接信号の除去を行ない、ＩＦ増幅回路２１へ出力する。
【０１７２】
したがって、図１に示す従来のチューナにおいては、妨害波となる隣接信号を除去する対策が十分でないという欠点があるが、本発明のチューナでは、本実施の形態に係るタンク回路１９により、ＩＦ信号の同調および隣接信号の除去を行なうことから、隣接信号を十分に除去することができる。
【０１７３】
ここで、図１に示す従来のチューナにおいては、隣接信号の除去比、すなわち、選局したＵＨＦ信号レベルに対する隣接信号レベルの比が、４５ｄＢ〜５０ｄＢであり、受信特性が悪化していたが、本発明のチューナにおいては、本実施の形態に係るタンク回路１９における平衡型上側隣接トラップ５１および平衡型下側隣接トラップ５３による、ＩＦ信号の上側の隣接信号の減衰量および下側の隣接信号の減衰量がそれぞれ１０ｄＢ〜１５ｄＢ以上であり、さらに、複同調回路５２による同調の効果とあわせて、本発明のチューナの隣接信号の除去比を約６０ｄＢとすることが可能である。
【０１７４】
また、本発明のチューナでは、隣接信号除去比が十分にとれていることから、局部発振回路１８から出力される局部発振信号の周波数を±２５０ｋＨｚずらした状態でテレビジョン信号を受信しても、隣接信号による受信特性への影響を排除することができる。
【０１７５】
＜第５の実施の形態＞
本実施の形態は、第１の実施の形態に係るチューナにおけるイコライザ回路２７を具体化したものである。
【０１７６】
［構成］
図８は、第１の実施の形態に係るチューナにおけるイコライザ回路２７の具体的な構成を示す。同図を参照して、このイコライザ回路２７は、抵抗Ｒ７１、抵抗Ｒ７２、抵抗Ｒ７３、抵抗Ｒ７４、抵抗Ｒ７５、コイルＬ７１、コイルＬ７２、コイルＬ７３、コンデンサＣ７１、コンデンサＣ７２、コンデンサＣ７３、音声トラップＴ、ビデオイコライザＥＱおよびエミッタフォロワＱ７１を含む。
【０１７７】
抵抗Ｒ７１および抵抗Ｒ７２は、外部（図４に示すアナログ復調回路２３）と接続される。
【０１７８】
音声トラップＴが、抵抗Ｒ７２、コイルＬ７１、ビデオイコライザＥＱに接続される。
【０１７９】
コンデンサＣ７３が、コイルＬ７２、コイルＬ７３、コンデンサＣ７１、コンデンサＣ７２に接続される。
【０１８０】
ビデオイコライザＥＱが、コンデンサＣ７１及びコイルＬ７２に接続される。
【０１８１】
エミッタフォロワＱ７１の入力が、抵抗Ｒ７３、コンデンサＣ７２およびコイルＬ７３に接続され、出力が、抵抗Ｒ７４に接続される。
【０１８２】
抵抗Ｒ７５は＋Ｂ端子、抵抗Ｒ７４、出力端子７１に接続される。
【０１８３】
抵抗Ｒ７１、抵抗Ｒ７３およびコンデンサＣ７３は、第１の固定電位（接地電位）に接続される。
【０１８４】
コイルＬ７２、コイルＬ７３、コンデンサＣ７１、コンデンサＣ７２およびコンデンサＣ７３は、ローパスフィルタを構成する。
【０１８５】
このローパスフィルタは、混入によるＩＦ帯の音声信号の周波数である４．５ＭＨｚをカットオフ周波数とする、すなわち、混入によるＩＦ帯の音声信号が３ｄＢ減衰する特性を有するものである。
【０１８６】
音声トラップＴは、混入によるＩＦ帯の音声信号を除去するためのものである。
【０１８７】
コイルＬ１は、定数を調整することにより、音声トラップＴにおける混入によるＩＦ帯の音声信号の減衰量の調整を行なうことができる。また、ベースバンド帯の映像信号と混入によるＩＦ帯の音声信号とは隣接しているから、音声トラップＴの振幅特性および群遅延特性は、ベースバンド帯の映像信号の帯域内にも影響を与えるため、コイルＬ１の定数を調整することにより、ベースバンド帯の映像信号の振幅特性および群遅延特性の調整を行なうことができる。
【０１８８】
エミッタフォロワＱ７１は、その前段であるローパスフィルタ等の影響を排除し、エミッタフォロワＱ７１の出力で一定の振幅を得るためのものである。
【０１８９】
Ｒ７４およびＲ７５は、ベースバンド帯の映像信号の振幅が１Ｖｐｐ、すなわち、振幅が１Ｖとなるように調整するためのものである。
【０１９０】
＋Ｂ端子は、エミッタフォロワＱ７１の出力電圧を得るためのものであり、常に第２の固定電位（電源電圧）である。
【０１９１】
［動作］
アナログ復調回路２３から出力されたベースバンド帯の映像帯域信号は、音声トラップＴに入力され、混入によるＩＦ帯の音声信号が除去される。
【０１９２】
ビデオイコライザＥＱは、音声トラップＴにおいて、混入によるＩＦ帯の音声信号が除去された、ベースバンド帯の映像信号を増幅し、コイルＬ７２、コイルＬ７３、コンデンサＣ７１、コンデンサＣ７２およびコンデンサＣ７３からなるローパスフィルタへ出力する。
【０１９３】
このローパスフィルタによって、４．５ＭＨｚ以上の周波数成分をもつ信号が、３ｄＢ以上減衰され、４．５ＭＨｚの周波数について共振する音声トラップＴでは十分でなかった、隣接信号である６ＭＨｚ以上の信号の周波数成分についても、十分に減衰させることができる。
【０１９４】
エミッタフォロワＱ７１に入力されたベースバンド帯の映像信号は、１Ｖｐｐ、すなわち、振幅が１Ｖで出力される。
【０１９５】
したがって、図１に示す従来のチューナにおいては、妨害波となる隣接信号を除去する対策が十分でないという欠点があるが、本発明のチューナでは、本実施の形態に係るイコライザ回路２７における音声トラップＴによって、混入によるＩＦ帯の音声信号の除去を行うことができ、また、コイルＬ７２、コイルＬ７３、コンデンサＣ７１、コンデンサＣ７２およびコンデンサＣ７３からなるローパスフィルタによって、４．５ＭＨｚ以上の周波数成分をもつ隣接信号を除去することができる。
【０１９６】
さらに、図１に示す従来のチューナにおいては、ＳＡＷフィルタの群遅延特性が良好でない、すなわち、映像信号の周波数帯域内において遅延時間のばらつきが大きいため、映像信号にリンギングが生じ、画質が劣化する、という欠点がある。
【０１９７】
ここで、リンギングとは、入力信号が変化した際の、波形の立ち上がりまたは立ち下がり部分において、短期間、波形が振動し、本来の画像以外のものが画面に現れる現象をいう。
【０１９８】
しかしながら、本発明のチューナでは、ＳＡＷフィルタ２９によって、群遅延特性を改善し、かつ、コイルＬ１の定数を調整し、映像信号の群遅延特性の調整を行なうことにより、リンギングの発生を抑え、画質の劣化を防ぐごとができる。
【０１９９】
ここで、本発明のチューナに、テレビジョン信号を送信するテレビ変調器においては、群遅延特性が３ＭＨｚにおいて０〜−１３０ｎ［ｓｅｃ］および３．５８ＭＨｚにおいて０〜−１５０ｎ［ｓｅｃ］に設計されており、本発明のチューナにおけるＳＡＷフィルタ２９では、群遅延特性を３ＭＨｚにおいて０〜＋１３０ｎ［ｓｅｃ］および３．５８ＭＨｚにおいて０〜＋１５０ｎ［ｓｅｃ］に調整し、かつ、コイルＬ１の定数を調整することにより、テレビ変調器から本発明におけるアナログ復調回路２３のベースバンド帯の映像信号の出力までの、映像信号の群遅延特性が、３ＭＨｚ〜３．５８ＭＨｚにおいて、図１に示す従来のチューナでは、−２００〜＋２００ｎ［ｓｅｃ］であるが、本発明のチューナでは、−１００〜＋１００ｎ［ｓｅｃ］とすることが可能となる。これにより、Ｋファクタ（歪み率）、すなわち、波形の基本波成分に対する高調波成分の比率を、図１に示す従来のチューナでは２．５％であるのに対し、本発明のチューナでは１．２％とすることが可能となる。
【０２００】
＜第６の実施の形態＞
本実施の形態は、第１の実施の形態に係るチューナにおけるタンク回路１９の構成を変更し、トラップの回路を追加したチューナに関する。
【０２０１】
［構成］
図９は、第６の実施の形態に係るチューナの概略構成を示す。同図を参照して、このチューナは、図４に示すチューナに対して、タンク回路１９をタンク回路２８に変更し、かつ、ＳＡＷトラップ２６をＩＦ増幅回路２１とＳＡＷフィルタ２９との間に追加している。
【０２０２】
本実施の形態に係るチューナでは、タンク回路２８は、タンク回路１９と異なり、単同調回路、すなわち、同調回路を１つだけ備えており、また、平衡型上側隣接トラップ、平衡型下側隣接トラップおよび同調回路を備えていない。
【０２０３】
その他の構成は図４に示すチューナと同様である。
【０２０４】
［動作］
タンク回路２８は、ＵＨＦミキサ回路１５から入力されたＩＦ信号の同調を行なう。
【０２０５】
ＳＡＷトラップ２６は、隣接信号およびＵＨＦ局部発振回路１８、ＶＨＦ局部発振回路１６およびＶＨＦ局部発振回路２０において発生する、局部発振周波数のｎ倍の高調波を除去する。
【０２０６】
上述のように、タンク回路２８は、タンク回路１９を簡易化した構成であるが、ＳＡＷトラップ２６と、タンク回路２８との組み合わせにより、タンク回路１９と同等の隣接信号除去比を実現する。
【０２０７】
その他の動作については、図４に示すチューナと同様である。
【０２０８】
したがって、図１に示す従来のチューナにおいては、妨害波となる隣接信号を除去する対策が十分でないという欠点があるが、本実施の形態に係るチューナでは、タンク回路２８によって、ＩＦ信号の同調を行ない、ＳＡＷトラップ２６によって、隣接信号および高調波の除去を行ない、また、イコライザ回路２７において、混入によるＩＦ帯の音声信号の除去を行なうことから、妨害波を十分に除去することができる。
【０２０９】
その他の効果については、第１の実施の形態と同様である。
【０２１０】
＜第７の実施の形態＞
本実施の形態は、第６の実施の形態に係るチューナにおけるタンク回路２８を具体化したものである。
【０２１１】
［構成］
図１０は、第６の実施の形態に係るチューナにおけるタンク回路２８の具体的な構成を示す。同図を参照して、このタンク回路１９は、コンデンサＣ８１と、コンデンサＣ８２と、コンデンサＣ８３と、コンデンサＣ８４と、コンデンサＣ８５と、コイルＬ８１とを含む。
【０２１２】
ＵＨＦミキサ回路１５の平衡出力の一方が、コンデンサＣ８３に接続され、他方がコンデンサＣ８４に接続される。
【０２１３】
コンデンサＣ８３が、コイルＬ８１、コンデンサＣ８５およびコンデンサＣ８１に接続される。
【０２１４】
コンデンサＣ８４が、コイルＬ８１、コンデンサＣ８５およびコンデンサＣ８２に接続される。
【０２１５】
ＩＦ増幅回路２１の平衡入力の一方が、コンデンサＣ８２に接続され、他方がコンデンサＣ８１に接続される。
【０２１６】
コンデンサＣ８５およびコイルＬ８１は、同調回路を構成する。
【０２１７】
コンデンサＣ８２、コンデンサＣ８１、コンデンサＣ８３およびコンデンサＣ８４は、コンデンサＣ８５およびコイルＬ８１からなる同調回路の整合用コンデンサである。
【０２１８】
［動作］
コンデンサＣ８５およびコイルＬ８１からなる同調回路は、ＵＨＦミキサ回路１５から入力されたＩＦ信号の同調を行なう。
【０２１９】
したがって、本実施の形態に係るタンク回路２８によって、ＩＦ信号の同調を行なうことから、ＩＦ信号に対して、隣接信号を相対的に減衰させることができる。
【０２２０】
なお、タンク回路１９は、単同調回路であり、複同調回路を含むタンク回路２８よりも同調の効果は低いが、タンク回路２８および図９に示すＳＡＷトラップ２６により、タンク回路１９と同等の隣接信号除去比を実現することができる。
【０２２１】
＜第８の実施の形態＞
本実施の形態は、第６の実施の形態に係るチューナにおけるＳＡＷトラップ２６を具体化したものである。
【０２２２】
［構成］
図１１は、第６の実施の形態に係るチューナにおけるＳＡＷトラップ２６の具体的な構成を示す。同図を参照して、このＳＡＷトラップ２６は、コンデンサＣ９１と、コンデンサＣ９２と、抵抗Ｒ９１と、コイルＬ９１と、ＳＡＷトラップＳとを含む。
【０２２３】
ＩＦ増幅回路２１の出力が、コンデンサＣ９１に接続される。
【０２２４】
コンデンサＣ９１が、コイルＬ９１に接続される。
【０２２５】
ＳＡＷトラップＳが、コイルＬ９１、コンデンサＣ９２、抵抗Ｒ９１および外部（図９に示すＳＡＷフィルタ２９）に接続される。
【０２２６】
ＳＡＷトラップＳ、抵抗Ｒ９１およびコンデンサＣ９２は、第１の固定電位（接地電位）に接続される。
【０２２７】
コイルＬ９１、コンデンサＣ９２は、ローパスフィルタを構成する。
【０２２８】
抵抗Ｒ９１は、図９に示すＩＦ増幅回路２１と、ＳＡＷトラップＳとの整合をとる。
【０２２９】
［動作］
ＩＦ増幅回路２１から入力されたＩＦ信号について、コイルＬ９１、コンデンサＣ９２および抵抗Ｒ９１からなるローパスフィルタにおいて、ＶＨＦ局部発振回路２０において発生する、局部発振周波数のｎ倍の高調波が除去され、また、ＳＡＷトラップＳにおいて、隣接信号が除去される。
【０２３０】
したがって、本実施の形態におけるＳＡＷトラップ２６によって、高調波および隣接信号の除去を行なうことから、妨害波を十分に除去することができる。
【０２３１】
［変形例］
本発明は、上記実施の形態に限定されるものではなく、たとえば以下の変形例も含まれる。
【０２３２】
本発明の第４の実施の形態では、２つの同調回路によって同調を行なうとして説明したが、これに限定するものではない。同調回路を１つだけ使用してもよい。
【０２３３】
本発明の第５の実施の形態では、コイルＬ７２、コイルＬ７３、コンデンサＣ７１、コンデンサＣ７２およびコンデンサＣ７３からなるローパスフィルタで隣接信号を除去するとして説明したが、これに限定するものではない。隣接信号を除去するトラップを使用してもよい。
【０２３４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２３５】
【図１】従来から使用されいていると想定されるチューナの概略構成を示す図である。
【図２】図１に示すチューナにおけるＵＨＦ入力回路１００の具体的な構成を示す図である。
【図３】図１に示すチューナにおけるＵＨＦ出力同調回路１２の具体的な構成を示す図である。
【図４】第１の実施の形態に係わるチューナの概略構成を示す図である。
【図５】第１の実施の形態に係わるチューナにおけるＵＨＦ入力回路２００の具体的な構成を示す図である。
【図６】第１の実施の形態に係わるチューナにおけるＵＨＦ出力同調回路１２および可変型整合回路１０の具体的な構成を示す図である。
【図７】第１の実施の形態に係わるチューナにおけるタンク回路１９の具体的な構成を示す図である。
【図８】第１の実施の形態に係わるチューナにおけるイコライザ回路２７の具体的な構成を示す図である。
【図９】第６の実施の形態に係わるチューナの概略構成を示す図である。
【図１０】第６の実施の形態に係わるチューナにおけるタンク回路２８の具体的な構成を示す図である。
【図１１】第６の実施の形態に係わるチューナにおけるＳＡＷトラップ２６の具体的な構成を示す図である。
【符号の説明】
【０２３６】
１  入力端子、７１  出力端子、２  ハイパスフィルタ、１００，２００  ＵＨＦ入力回路、１２  ＵＨＦ出力同調回路、１５  ＵＨＦミキサ回路、１８  ＵＨＦ局部発振回路、５  ＶＨＦハイバンド入力同調回路、６，２４  ＵＨＦ入力同調回路、８  ＶＨＦローバンド入力同調回路、３１，３３  ＡＧＣ抵抗、１１  ＶＨＦ高周波増幅器、１３  ＶＨＦハイバンド出力同調回路、１４  ＶＨＦローバンド出力同調回路、１７  ＶＨＦミキサ回路、１６  ＶＨＦ局部発振回路、２０  ＶＨＦ局部発振回路、Ｓ１，Ｓ２，Ｓ３，Ｓ４  ハイバンド／ローバンド切替スイッチ、２１  ＩＦ増幅回路、２２，２９  ＳＡＷフィルタ、２３  アナログ復調回路、Ｃｄ，Ｃｅ３１，Ｃｅ３２，Ｃｅ３３，Ｃｅ３４，Ｃｅ３５，Ｃｅ３６，Ｃｅ３７，Ｃｈ，Ｃｔ，Ｃ４１，Ｃ４２，Ｃ４３，Ｃ４４，Ｃｍ３１，Ｃｍ４１，Ｃ５１，Ｃ５２，Ｃ５３，Ｃ５４，Ｃ５５，Ｃ５６，Ｃ５７，Ｃ５８，Ｃ５９，Ｃ６０，Ｃ６１，Ｃ６２，Ｃ６３，Ｃ６４，Ｃ７１，Ｃ７２，Ｃ７３，Ｃ８１，Ｃ８２，Ｃ８３，Ｃ８４，Ｃ８５，Ｃ９１，Ｃ９２  コンデンサ、Ｌ３１，Ｌ３２，Ｌ３３，Ｌ３４，Ｌ３５，Ｌ３６，Ｌ４１，Ｌ４２，Ｌ５１，Ｌ５２，Ｌ５３，Ｌ５４，Ｌ７１，Ｌ７２，Ｌ７３，Ｌ８１，Ｌ９１  コイル、Ｒ３１，Ｒ３２，Ｒ３３，Ｒ３４，Ｒ３５，Ｒ３６，Ｒ４１，Ｒ４２，Ｒ４３，Ｒ４４，Ｒ９１  抵抗、３１，３３  ＡＧＣ抵抗、ＳＷ３１，ＳＷ３２，ＳＷ３３  ダイオード、Ｄｔ３１，Ｄｔ３２，Ｄｔ４１，Ｄｔ４２，Ｄｔ４３  可変容量ダイオード、２００  ＵＨＦ入力回路、１０  可変型整合回路、１９，２８  タンク回路、２７  イコライザ回路、Ｔ  音声トラップ、ＥＱ  ビデオイコライザ、Ｑ７１  エミッタフォロワ、２６，Ｓ，Ｔ  ＳＡＷトラップ。
【図１】
2005277919.tif 000003
【図２】
2005277919.tif 000004
【図３】
2005277919.tif 000005
【図４】
2005277919.tif 000006
【図５】
2005277919.tif 000007
【図６】
2005277919.tif 000008
【図７】
2005277919.tif 000009
【図８】
2005277919.tif 000010
【図９】
2005277919.tif 000011
【図１０】
2005277919.tif 000012
【図１１】
2005277919.tif 000013